(57)【要約】【課題】回転軸に対する着脱を容易にした円盤状工具、円盤状工具を備えた電動工具を提供する。【解決手段】回転軸６３への螺合用のネジ孔３０を中心に備えた円盤状工具であって、ネジ孔を中心とする円周上に、複数の貫通孔４０を円周方向に所定間隔をおいて形成すると共に、少なくとも一部の貫通孔の間隔Ｃを、回転軸への着脱操作用の工具７０に設けた一対の係合部７２、７２が係合可能な間隔とした。さらに貫通孔４０を、使用時に発生する粉塵を集塵する集塵孔と兼用した。【選択図】図３
2012161883.tif 000002
【特許請求の範囲】
【請求項１】
回転軸への螺合用のネジ孔を中心に備えた円盤状工具であって、
前記ネジ孔を中心とする円周上に、複数の貫通孔を円周方向に所定間隔をおいて形成すると共に、少なくとも一部の前記貫通孔の間隔を、前記回転軸への着脱操作用の工具に設けた一対の係合部が係合可能な間隔としたことを特徴とする円盤状工具。
【請求項２】
前記貫通孔を、使用時に発生する粉塵を集塵する集塵孔と兼用したことを特徴とする請求項１に記載の円盤状工具。
【請求項３】
モータを備えたハウジングから回転軸を突出させ、前記回転軸に、請求項１又は２に記載の円盤状工具を螺合させたことを特徴とする電動工具。
【発明の詳細な説明】
【技術分野】
【０００１】
この発明は、回転軸への螺合用のネジ孔を中心に備えた円盤状工具、該円盤状工具を備えた電動工具に関する。
【背景技術】
【０００２】
例えば非特許文献１には、ディスクサンダの出力軸に連結されて、石材等の研削加工に用いられるカップ型のダイヤモンドホイールが開示されている。このディスクサンダでは、モータによって回転駆動される出力軸にフランジ部材を外装した上でダイヤモンドホイールの中心に設けた挿通孔を差し込んだ後に、出力軸に螺合締結したロックナットでダイヤモンドホイールが前記フランジ部材に押さえ付けられている。さらに、このダイヤモンドホイールの周囲は集塵カバーによって覆われている。
【０００３】
また石材等の研削加工に用いられる円盤状工具として、二面幅を有してネジ孔が形成されたハブ軸を突設させたダイヤモンドホイールもある。このダイヤモンドホールをディスクサンダの出力軸に連結又は連結解除するために、集塵カバーの一部を着脱可能にすることで集塵カバーに開口部を形成可能にしておいて、スパナを開口部から集塵カバー内に差し込んで二面幅に引っ掛けて回転操作することで、前記ネジ孔に出力軸を螺入したりネジ孔と出力軸との螺合が解除できるようにされていた。
【先行技術文献】
【非特許文献】
【０００４】
【非特許文献１】総合カタログ／株式会社マキタ、２０１０年１０月、ｐ１５８、［２０１１年２月１日検索］、<URL:http://www.makita.co.jp/product/ecatalog/sougou/index.html>
【発明の概要】
【発明が解決しようとする課題】
【０００５】
しかしながら、上記の出力軸等の回転軸にダイヤモンドホールを連結又は連結解除する度に、集塵カバーの一部を取り外していては手間がかかる。これに加え、例え集塵カバーの一部を取り外すことができても二面幅は集塵カバーに隠れて見え難い。このため、作業者にとって、スパナ等の工具を二面幅に引っ掛けながら回転軸にダイヤモンドホールを着脱する作業がし辛いという問題があった。
【０００６】
この発明は、このような状況に鑑み提案されたものであって、回転軸に対する着脱を容易にした円盤状工具、該円盤状工具を備えた電動工具を提供することを目的とする。
【課題を解決するための手段】
【０００７】
請求項１の発明に係る円盤状工具は、回転軸への螺合用のネジ孔を中心に備えた円盤状工具であって、前記ネジ孔を中心とする円周上に、複数の貫通孔を円周方向に所定間隔をおいて形成すると共に、少なくとも一部の前記貫通孔の間隔を、前記回転軸への着脱操作用の工具に設けた一対の係合部が係合可能な間隔としたことを特徴とする。
【０００８】
請求項２の発明は、請求項１において、前記貫通孔を、使用時に発生する粉塵を集塵する集塵孔と兼用したことを特徴とする。
【０００９】
請求項３の発明に係る電動工具は、モータを備えたハウジングから回転軸を突出させ、前記回転軸に、請求項１又は２に記載の円盤状工具を螺合させたことを特徴とする。
【発明の効果】
【００１０】
請求項１の発明に係る円盤状工具及び請求項３の発明に係る電動工具によれば、回転軸に対して円盤状工具を着脱操作する工具の係合部を、該円盤状工具の貫通孔に係合させて、回転軸に対して円盤状工具のネジ孔を螺合又は螺合解除するだけで、円盤状工具を回転軸に対して容易に着脱できる。
請求項２の発明によれば、貫通孔に、前記係合部を係合させる機能と粉塵を集塵する機能の双方を持たせることができる。よって、集塵孔を、係合部を係合させる孔と別個に形成する必要がない。
【図面の簡単な説明】
【００１１】
【図１】本発明の実施形態のダイヤモンドホイールの上面側から見た全体斜視図である。
【図２】同ダイヤモンドホイールの底面側から見た全体斜視図である。
【図３】同ダイヤモンドホイールをディスクサンダのスピンドルに螺合させるときの説明図である。
【発明を実施するための形態】
【００１２】
本発明の実施形態を図１ないし図３を参照しつつ説明する。図１及び図２に示すように、ダイヤモンドホイール１は、本体１０と、ハブ軸２０と、ネジ孔３０と、貫通孔４０と、研削突起５０とを備えている。本体１０は、円盤状の鋼板を加工してカップ状にされて平坦部１１と膨出部１２とを有する。膨出部１２は、断面が台形形状で中心が本体１０の中心と一致して平坦部１１の上面側表面から膨出している。ハブ軸２０は膨出部１２の頂部に上向きで突設されている。このハブ軸２０には二面幅部２１が形成されている。
【００１３】
ネジ孔３０は、ハブ軸２０の中心を貫通して形成されている。貫通孔４０は、膨出部１２の傾斜面１３に複数設けられている。複数の貫通孔４０は、ネジ孔３０を中心とする円周上で円周方向に所定間隔Ａをおいて形成されている。本実施形態では所定間隔Ａを同一の間隔に設定した。加えて一つおきの貫通孔４０、４０の間隔Ｂを、ロックナットレンチ７０の係合突起７２、７２の間隔Ｃ（図３参照。）と同間隔に設定した。図２に示すように、複数の研削突起５０は、各貫通孔４０よりもダイヤモンドホイール１の外周側で平坦部１１の底面側表面にネジ孔３０を中心とする円周方向に所定間隔をおいて設けられている。
【００１４】
図３には、ダイヤモンドホイール１をディスクサンダ６０に取り付けた状態を示した。ディスクサンダ６０のモータハウジング６１にはモータ（図示せず。）が収容されており、モータの回転軸は、モータハウジング６１からギヤハウジング６２内に突入している。ギヤハウジング６２には、前記回転軸と噛合する減速機構が収容されている。加えてギヤハウジング６２には、スピンドル６３が回転可能な状態で前記回転軸と直交状に支持されて、スピンドル６３の先端部はギアハウジング６２の下面から突出している。前記回転軸の回転は、減速機構を介してスピンドル６３に伝達される。なお、ギヤハウジング６２は本発明のハウジングの一例である。
【００１５】
スピンドル６３の先端部外周面には、ネジ孔３０に螺合する雄ネジが形成されている。本実施形態ではスピンドル６３を図示しないロック機構で回転止めした状態で、スピンドル６３の先端部をハブ軸２０のネジ孔３０に螺合させた後に、先端側に二股部７１を有するロックナットレンチ７０を用い、図３に示すように、二股部７１に一体形成された両係合突起７２、７２を、一つおきの貫通孔４０、４０に差し込んで係合させる。続いてロックナットレンチ７０に回転力を付与することで、ダイヤモンドホイール１が、回転しつつスピンドル６３の軸方向に移動してスピンドル６３に対して締結される。一方、ロックナットレンチ７０に対してネジ孔３０とスピンドル６３との螺合を解除する方向に回転力を付与することで、ダイヤモンドホイール１をスピンドル６３から取り外すことができる。なお、スピンドル６３は本発明の回転軸の一例であり、ダイヤモンドホイール１は本発明の円盤状工具の一例であり、ディスクサンダ６０は本発明の電動工具の一例である。また、ロックナットレンチ７０は本発明の着脱操作用の工具の一例であり、両係合突起７２、７２は本発明の一対の係合部の一例である。
【００１６】
ギヤハウジング６２の下面には集塵カバー６５が固定されている。この集塵カバー６５は、ダイヤモンドホイール１よりも大径で下向きに開口する椀形状とされてダイヤモンドホイール１の周囲を覆っている。集塵カバー６５の外周面には、集塵カバー６５の内部と連通する集塵筒６６が設けられている。この集塵筒６６には、吸引ホースを介して集塵機が接続可能である。
【００１７】
ディスクサンダ６０によって被処理面の研削を行う場合には、作業者がモータハウジング６１を把持してスイッチをＯＮ状態にすることでモータを駆動させると共に集塵装置を作動させる。モータの駆動に伴って回転する研削突起５０を、被処理面に当てながら被処理面上を移動させることで被処理面を研削する。被処理面の研削時に発生した粉塵は、集塵筒６６に向けた吸引力によって各貫通孔４０を通過した後に集塵筒６６から吸引ホースを介して集塵機へ収集される。したがって、各貫通孔４０は粉塵を集塵する集塵孔としても機能する。
【００１８】
＜本実施形態の効果＞
本実施形態のダイヤモンドホイール１及びダイヤモンドホイール１を備えたディスクサンダ６０では、ロックナットレンチ７０の両係合突起７２、７２を、ダイヤモンドホイール１の貫通孔４０、４０に係合させて、スピンドル６３に対してダイヤモンドホイール１のネジ孔３０を螺合又は螺合解除するだけで、ダイヤモンドホイール１をスピンドル６３に対して容易に取り付け又は取り外しできる。
【００１９】
また、各貫通孔４０に、係合突起７２を係合させる機能と粉塵を集塵する機能の双方を持たせることができる。よって、集塵孔を、係合突起７２を係合させる孔と別個に形成する必要がない。
【００２０】
本発明は、上述した実施形態に限定されるものではなく、発明の趣旨を逸脱しない範囲内において構成の一部を適宜変更して実施できる。例えば上述した実施形態とは異なり、ネジ孔３０を中心とした円周上で円周方向の特定部分に間隔Ｃをおいて貫通孔４０、４０を形成し、特定部分以外の部分に一定ではない間隔をおいて集塵孔として機能する貫通孔４０を適宜の数だけ形成してもよい。
【００２１】
また上述した実施形態では、円盤状工具の例としてカップ状にされたダイヤモンドホイールを示したが、これに限らず、円盤状工具はディスク状にしたダイヤモンドホールであってもよい。さらに、円盤状工具は二面幅部やハブ軸を有しないカップ状のダイヤモンドホイールであってもよい。
【符号の説明】
【００２２】
１・・ダイヤモンドホイール、３０・・ネジ孔、４０・・貫通孔（集塵孔）、６０・・ディスクサンダ、６２・・ギヤハウジング、６３・・スピンドル、７０・・ロックナットレンチ、７２・・ロックナットレンチの係合突起、Ａ・・貫通孔同士の間隔、Ｂ・・一つおきの貫通孔同士の間隔。
【図１】
2012161883.tif 000003
【図２】
2012161883.tif 000004
【図３】
2012161883.tif 000005